(57)【要約】      （修正有）【課題】視覚的な違和感が軽減ないし解消された、パターンの低視認性を向上できる機能性細線パターン及び機能性細線パターンの製造方法の提供。【解決手段】基材１上に、機能性材料を含む閉じられた幾何学図形細線３１を、隣り合う幾何学図形細線３１同士が互いに複数の交点で接続されるように、二次元的に複数並設してなる複数のパターン部３と、隣り合うパターン部３間に設けられた間隙部４と、により構成され、幾何学図形細線３１の配置ピッチを複数のパターン部３に渡って保持するように間隙部４が設けられている機能性パターン。幾何学図形細線３１の形状が、多角形であることが好ましく、パターン部３は、基材１の長手方向に対して各辺が傾斜した四角形である幾何学図形細線３１を、基材１の長手方向及び幅方向の夫々に並設してなる機能性細線パターン。【選択図】図１
2019030965.tif 000002
【特許請求の範囲】
【請求項１】
基材上に、機能性材料を含む閉じられた幾何学図形細線を、隣り合う前記幾何学図形細線同士が互いに複数の交点で接続されるように、二次元的に複数並設してなる複数のパターン部と、
隣り合う前記パターン部間に設けられた間隙部と、により構成され、
前記幾何学図形細線の配置ピッチを複数の前記パターン部に渡って保持するように前記間隙部が設けられていることを特徴とする機能性細線パターン。
【請求項２】
前記間隙部の幅が、前記配置ピッチよりも狭いことを特徴とする請求項１記載の機能性細線パターン。
【請求項３】
前記パターン部を構成する前記幾何学図形細線のうち、前記間隙部に隣接する前記幾何学図形細線の形状が、前記間隙部に隣接しない前記幾何学図形細線の形状と異なることによって前記間隙部が設けられていることを特徴とする請求項１又は２記載の機能性細線パターン。
【請求項４】
前記幾何学図形細線の形状が、多角形であることを特徴とする請求項１〜３の何れかに記載の機能性細線パターン。
【請求項５】
前記パターン部は、前記基材の長手方向に対して各辺が傾斜した四角形である前記幾何学図形細線を、該基材の長手方向及び幅方向のそれぞれに並設してなることを特徴とする請求項１〜４の何れかに記載の機能性細線パターン。
【請求項６】
前記基材の両面に形成されたことを特徴とする請求項１〜５の何れかに記載の機能性細線パターン。
【請求項７】
基材上に、機能性材料を含む閉じられた幾何学図形細線を、隣り合う前記幾何学図形細線同士が互いに複数の交点で接続されるように、二次元的に複数並設してなる複数のパターン部と、
隣り合う前記パターン部間に設けられた間隙部と、により構成され、
前記幾何学図形細線の配置ピッチを複数の前記パターン部に渡って保持するように前記間隙部が設けられている機能性細線パターンを製造する機能性細線パターンの製造方法であって、
前記幾何学図形細線を、コーヒーステイン現象を利用して形成することを特徴とする機能性細線パターンの製造方法。
【請求項８】
前記間隙部の幅を、前記配置ピッチよりも狭くすることを特徴とする請求項７記載の機能性細線パターンの製造方法。
【請求項９】
前記パターン部を構成する前記幾何学図形細線のうち、前記間隙部に隣接する前記幾何学図形細線の形状を、前記間隙部に隣接しない前記幾何学図形細線の形状と異ならせることによって前記間隙部を形成することを特徴とする請求項７又は８記載の機能性細線パターンの製造方法。
【請求項１０】
前記幾何学図形細線の形状を多角形に形成することを特徴とする請求項７〜９の何れかに記載の機能性細線パターンの製造方法。
【請求項１１】
前記パターン部を、前記基材の長手方向に対して各辺が傾斜した四角形である前記幾何学図形細線を、該基材の長手方向及び幅方向のそれぞれに並設して形成することを特徴とする請求項７〜１０の何れかに記載の機能性細線パターンの製造方法。
【請求項１２】
基材上に、機能性材料を含む第１ライン状液体によって、閉じられた幾何学図形を形成し、前記第１ライン状液体を乾燥して、前記機能性材料を縁部に沿って堆積させることにより、前記機能性材料を含む内側細線と外側細線からなる第１機能性細線パターン前駆体を形成し、
次いで、前記基材上に、機能性材料を含む第２ライン状液体によって、閉じられた幾何学図形を形成し、前記第２ライン状液体を乾燥して、前記機能性材料を縁部に沿って堆積させることにより、前記機能性材料を含む内側細線と外側細線からなる第２機能性細線パターン前駆体を形成する際に、
少なくとも一組の前記第１機能性細線パターン前駆体と前記第２機能性細線パターン前駆体において、前記第１機能性細線パターン前駆体の前記外側細線と、前記第２機能性細線パターン前駆体の前記外側細線とが接続され、且つ前記第１機能性細線パターン前駆体の前記内側細線と、前記第２機能性細線パターン前駆体の前記内側細線とが接続されないように、前記第１機能性細線パターン前駆体及び前記第２機能性細線パターン前駆体を形成し、
次いで、前記機能性細線パターン前駆体の前記内側細線を除去することにより、除去せず残留させる前記外側細線によって前記幾何学図形細線を形成することを特徴とする請求項７〜１１の何れかに記載の機能性細線パターンの製造方法。
【請求項１３】
前記機能性材料として導電性材料を用い、互いに接続された前記第１機能性細線パターン前駆体の前記外側細線と前記第２機能性細線パターン前駆体の前記外側細線とからなる通電経路を通して通電することによって、前記外側細線に電解めっきを施し、
次いで、前記機能性細線パターン前駆体の前記内側細線を除去することにより、除去せず残留させる前記外側細線によって前記幾何学図形細線を形成することを特徴とする請求項１２記載の機能性細線パターンの製造方法。
【請求項１４】
前記基材の両面に前記機能性細線パターンを形成することを特徴とする請求項７〜１３の何れかに記載の機能性細線パターンの製造方法。
【発明の詳細な説明】
【技術分野】
【０００１】
本発明は、機能性細線パターン及び機能性細線パターンの製造方法に関し、より詳しくは、パターンの低視認性を向上できる機能性細線パターン及び機能性細線パターンの製造方法に関する。
【背景技術】
【０００２】
特許文献１〜３には、基材上に付与された導電性材料を含有する液滴を乾燥する際に、コーヒーステイン現象を利用して、該液滴の周縁部に選択的に導電性材料を堆積させる技術が開示されている。特許文献１は、液滴をドット状に付与することにより、該液滴の周縁部にリング状の導電性細線を形成している。また、特許文献２、３は、液滴を線状に付与することにより、該液滴の周縁部に直線状の導電性細線を形成している。
【先行技術文献】
【特許文献】
【０００３】
【特許文献１】ＷＯ２０１１／０５１９５２
【特許文献２】特開２００５−９５７８７号公報
【特許文献３】特開２０１４−３８９９２号公報
【発明の概要】
【発明が解決しようとする課題】
【０００４】
しかしながら、従来の技術には、導電性細線により構成されるパターンの低視認性（視認されにくい性質）を向上する観点で、更なる改善の余地が見出された。
【０００５】
導電性細線の場合に限らず、種々の機能性細線により構成されるパターンの低視認性を向上することができれば、視覚的な違和感が軽減ないし解消されたパターンを得ることができる。
【０００６】
そこで本発明の課題は、パターンの低視認性を向上できる機能性細線パターン及び機能性細線パターンの製造方法を提供することにある。
【０００７】
また本発明の他の課題は、以下の記載によって明らかとなる。
【課題を解決するための手段】
【０００８】
上記課題は、以下の各発明によって解決される。
【０００９】
１．
基材上に、機能性材料を含む閉じられた幾何学図形細線を、隣り合う前記幾何学図形細線同士が互いに複数の交点で接続されるように、二次元的に複数並設してなる複数のパターン部と、
隣り合う前記パターン部間に設けられた間隙部と、により構成され、
前記幾何学図形細線の配置ピッチを複数の前記パターン部に渡って保持するように前記間隙部が設けられていることを特徴とする機能性細線パターン。
２．
前記間隙部の幅が、前記配置ピッチよりも狭いことを特徴とする前記１記載の機能性細線パターン。
３．
前記パターン部を構成する前記幾何学図形細線のうち、前記間隙部に隣接する前記幾何学図形細線の形状が、前記間隙部に隣接しない前記幾何学図形細線の形状と異なることによって前記間隙部が設けられていることを特徴とする前記１又は２記載の機能性細線パターン。
４．
前記幾何学図形細線の形状が、多角形であることを特徴とする前記１〜３の何れかに記載の機能性細線パターン。
５．
前記パターン部は、前記基材の長手方向に対して各辺が傾斜した四角形である前記幾何学図形細線を、該基材の長手方向及び幅方向のそれぞれに並設してなることを特徴とする前記１〜４の何れかに記載の機能性細線パターン。
６．
前記基材の両面に形成されたことを特徴とする前記１〜５の何れかに記載の機能性細線パターン。
７．
基材上に、機能性材料を含む閉じられた幾何学図形細線を、隣り合う前記幾何学図形細線同士が互いに複数の交点で接続されるように、二次元的に複数並設してなる複数のパターン部と、
隣り合う前記パターン部間に設けられた間隙部と、により構成され、
前記幾何学図形細線の配置ピッチを複数の前記パターン部に渡って保持するように前記間隙部が設けられている機能性細線パターンを製造する機能性細線パターンの製造方法であって、
前記幾何学図形細線を、コーヒーステイン現象を利用して形成することを特徴とする機能性細線パターンの製造方法。
８．
前記間隙部の幅を、前記配置ピッチよりも狭くすることを特徴とする前記７記載の機能性細線パターンの製造方法。
９．
前記パターン部を構成する前記幾何学図形細線のうち、前記間隙部に隣接する前記幾何学図形細線の形状を、前記間隙部に隣接しない前記幾何学図形細線の形状と異ならせることによって前記間隙部を形成することを特徴とする前記７又は８記載の機能性細線パターンの製造方法。
１０．
前記幾何学図形細線の形状を多角形に形成することを特徴とする前記７〜９の何れかに記載の機能性細線パターンの製造方法。
１１．
前記パターン部を、前記基材の長手方向に対して各辺が傾斜した四角形である前記幾何学図形細線を、該基材の長手方向及び幅方向のそれぞれに並設して形成することを特徴とする前記７〜１０の何れかに記載の機能性細線パターンの製造方法。
１２．
基材上に、機能性材料を含む第１ライン状液体によって、閉じられた幾何学図形を形成し、前記第１ライン状液体を乾燥して、前記機能性材料を縁部に沿って堆積させることにより、前記機能性材料を含む内側細線と外側細線からなる第１機能性細線パターン前駆体を形成し、
次いで、前記基材上に、機能性材料を含む第２ライン状液体によって、閉じられた幾何学図形を形成し、前記第２ライン状液体を乾燥して、前記機能性材料を縁部に沿って堆積させることにより、前記機能性材料を含む内側細線と外側細線からなる第２機能性細線パターン前駆体を形成する際に、
少なくとも一組の前記第１機能性細線パターン前駆体と前記第２機能性細線パターン前駆体において、前記第１機能性細線パターン前駆体の前記外側細線と、前記第２機能性細線パターン前駆体の前記外側細線とが接続され、且つ前記第１機能性細線パターン前駆体の前記内側細線と、前記第２機能性細線パターン前駆体の前記内側細線とが接続されないように、前記第１機能性細線パターン前駆体及び前記第２機能性細線パターン前駆体を形成し、
次いで、前記機能性細線パターン前駆体の前記内側細線を除去することにより、除去せず残留させる前記外側細線によって前記幾何学図形細線を形成することを特徴とする前記７〜１１の何れかに記載の機能性細線パターンの製造方法。
１３．
前記機能性材料として導電性材料を用い、互いに接続された前記第１機能性細線パターン前駆体の前記外側細線と前記第２機能性細線パターン前駆体の前記外側細線とからなる通電経路を通して通電することによって、前記外側細線に電解めっきを施し、
次いで、前記機能性細線パターン前駆体の前記内側細線を除去することにより、除去せず残留させる前記外側細線によって前記幾何学図形細線を形成することを特徴とする前記１２記載の機能性細線パターンの製造方法。
１４．
前記基材の両面に前記機能性細線パターンを形成することを特徴とする前記７〜１３の何れかに記載の機能性細線パターンの製造方法。
【発明の効果】
【００１０】
本発明によれば、パターンの低視認性を向上できる機能性細線パターン及び機能性細線パターンの製造方法を提供することができる。
【図面の簡単な説明】
【００１１】
【図１】本発明の機能性細線パターンの第１態様を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図２】図１（ａ）の要部拡大図
【図３】本発明の機能性細線パターンの第１態様を概念的に説明する図であって、基材の表面及び裏面に設けられた機能性細線パターンが重なった状態を示す
【図４】本発明の機能性細線パターンの第１態様の他の例を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図５】本発明の機能性細線パターンの第１態様の他の例を概念的に説明する図であって、基材の表面及び裏面に設けられた機能性細線パターンが重なった状態を示す
【図６】本発明の機能性細線パターンの第２態様を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図７】本発明の機能性細線パターンの第２態様を概念的に説明する図であって、基材の表面及び裏面に設けられた機能性細線パターンが重なった状態を示す
【図８】本発明の機能性細線パターンの第３態様を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図９】本発明の機能性細線パターンの第３態様を概念的に説明する図であって、基材の表面及び裏面に設けられた機能性細線パターンが重なった状態を示す
【図１０】本発明の機能性細線パターンの第４態様を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図１１】本発明の機能性細線パターンの第４態様を概念的に説明する図であって、基材の表面及び裏面に設けられた機能性細線パターンが重なった状態を示す
【図１２】本発明の機能性細線パターンの製造方法の一例を説明する図
【図１３】本発明の機能性細線パターンの製造方法の一例を説明する図
【図１４】本発明の機能性細線パターンの製造方法の一例を説明する図
【図１５】本発明の機能性細線パターンの第５態様を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図１６】本発明の機能性細線パターンの第５態様を概念的に説明する図であって、基材の表面及び裏面に設けられた機能性細線パターンが重なった状態を示す
【図１７】本発明の機能性細線パターンの第６態様を概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図１８】本発明の機能性細線パターンの第６態様を概念的に説明する図であって、基材の表面及び裏面に設けられた機能性細線パターンが重なった状態を示す
【図１９】参考例の機能性細線パターンを概念的に説明する図であって、（ａ）は基材の表面に設けられた機能性細線パターンのみを、（ｂ）は基材の裏面に設けられた機能性細線パターンのみを基材を透視して見た様子を、それぞれ示す
【図２０】参考例の機能性細線パターンの第４態様を概念的に説明する図であって、基材の表面及び裏面に設けられた機能性細線パターンが重なった状態を示す
【発明を実施するための形態】
【００１２】
以下に、本発明を実施するための形態について説明する。
【００１３】
本発明の機能性細線パターンは、基材上に、機能性材料を含む閉じられた幾何学図形細線を複数組み合わせてなる複数のパターン部と、隣り合う前記パターン部間に設けられた間隙部と、により構成される。前記パターン部は、前記幾何学図形細線を、二次元的に複数並設して構成することができる。このとき、隣り合う前記幾何学図形細線同士が互いに複数の交点で接続されるように、前記幾何学図形細線を形成することができる。
【００１４】
本発明は、前記幾何学図形細線の配置ピッチを複数の前記パターン部に渡って保持するように前記間隙部が設けられていることを一つの特徴とする。
【００１５】
これにより、パターンの低視認性を向上できる効果が得られる。
【００１６】
以下に、図１〜図３を参照して、機能性細線パターンをタッチパネルセンサーに用いる場合を例に挙げて、本発明について更に詳しく説明する。
【００１７】
図１〜図３は、本発明の機能性細線パターンの第１態様を概念的に説明する図である。
【００１８】
ここでは、基材１の両面に機能性細線パターン２が設けられており、図１〜図３は、何れも基材１を同じ側（表面側）から平面視した様子を示している。図１（ａ）は基材１の表面に設けられた機能性細線パターン２のみを、図１（ｂ）は基材１の裏面に設けられた機能性細線パターン２のみを基材１を透視して見た様子を、図３は基材１の表面及び裏面に設けられた機能性細線パターン２、２が重なった状態を、それぞれ示している。図２は、図１（ａ）における破線で囲まれた領域Ａを拡大した様子を示す要部拡大図である。
【００１９】
図１（ａ）に示すように、機能性細線パターン２は、基材１上に設けられた複数のパターン部３と、隣り合うパターン部３間に設けられた間隙部４とにより構成されている。
【００２０】
各々のパターン部３は、基材１上に、機能性材料を含む閉じられた幾何学図形細線３１を、隣り合う前記幾何学図形細線３１同士が互いに接続されるように、二次元的に所定ピッチで複数並設して構成されている。図示するように、パターン部３において、隣り合う幾何学図形細線３１同士は、互いに複数の交点で接続されていることが好ましい。また、Ｘ方向に隣り合う幾何学図形細線３１同士が互いに接続されると共に、Ｙ方向に隣り合う幾何学図形細線３１同士も互いに接続されることが好ましい。
【００２１】
閉じられた幾何学図形細線３１は、始点と終点が一致した幾何学図形を、機能性材料を含む細線によって形成したものである。図示の例では、閉じられた幾何学図形細線３１として、基材１の長手方向（図示の例ではＸ方向）に対して各辺が傾斜した四角形である四角形状細線を、基材１の長手方向及び幅方向（図示の例ではＹ方向）のそれぞれに複数並設してパターン部３を構成している。ここでは、隣り合う幾何学図形細線３１同士は、四角形の頂点を挟む両辺同士を交差させて２点の交点で接続されている。このように、隣り合う幾何学図形細線３１同士が互いに複数（図示の例では２点）の交点で接続されることによって、機能性材料によって付与される機能を、互いに接続された幾何学図形細線３１全体で、好適に発揮できるようになる。特に機能性材料として導電性材料を用いる場合には、幾何学図形細線３１同士の電気的接続が確実なものとなり、パターン部３を低抵抗化することができる。
【００２２】
各々のパターン部３は、Ｘ方向及びＹ方向のそれぞれに複数の幾何学図形細線３１を配置して構成され、全体としてＸ方向に延びる帯状に設けられている。
【００２３】
各々のパターン部３は、Ｘ方向に延びる帯状の間隙部４によってＹ方向に互いに隔離され、独立した島状に設けられている。間隙部４は、例えば、機能性材料として導電性材料を用いる場合には、パターン部３間を絶縁する絶縁部を構成し得る。
【００２４】
機能性細線パターン２は、幾何学図形細線３１の配置ピッチを複数のパターン部３に渡って保持するように間隙部４が設けられていることを一つの特徴とする。
【００２５】
「幾何学図形細線３１の配置ピッチを複数のパターン部３に渡って保持する」というのは、複数のパターン部３に渡る方向（即ち、複数のパターン部３が並設される方向であって、図示の例ではＹ方向）において、一つのパターン部３を構成する幾何学図形細線３１の配置ピッチが、他のパターン部３を構成する幾何学図形細線３１の配置ピッチと同じであると共に、これら配置ピッチの位相も同じであることを意味する。言い換えれば、複数のパターン部３に渡る方向（図示の例ではＹ方向）に向けて、一つのパターン部３を構成する幾何学図形細線３１の配置ピッチで仮想的な目盛りＳＹを延設した際に、他のパターン部３を構成する幾何学図形細線３１の配置ピッチが、目盛りＳＹと一致することを意味する。
【００２６】
このとき、複数のパターン部３を構成する全ての幾何学図形細線３１の配置ピッチ及び位相が同じである必要はなく、一部の領域で配置ピッチ及び位相が異なっていてもよい。本発明の効果を顕著に発揮させる観点では、各々のパターン部３を構成する幾何学図形細線３１のうち半数以上の幾何学図形細線３１の配置ピッチ及び位相が、複数のパターン部３間で同じであることが好ましい。
【００２７】
ここでは、特に図２に示すように、パターン部３を構成する幾何学図形細線３１のうち、間隙部４に隣接する幾何学図形細線３１’の形状を、間隙部４に隣接しない幾何学図形細線３１の形状と異ならせている。即ち、図２中、間隙部４に隣接する幾何学図形細線３１’に対して、間隙部４に隣接しない幾何学図形細線３１の形状を破線で仮想的に重ね合わせているが、両者の形状は一致せず、異なるものになっている。その結果、間隙部４に隣接する幾何学図形細線３１’の配置ピッチ及び位相は、パターン部３の内部に配置される幾何学図形細線３１（即ち間隙部４に隣接しない幾何学図形細線３１）の配置ピッチ及び位相と若干異なるが、パターン部３の内部に配置される幾何学図形細線３１の配置ピッチ及び位相が複数のパターン部３間で同じであることによって、本発明の効果を顕著に発揮することができる。
【００２８】
図２に示したように、パターン部３を構成する幾何学図形細線３１のうち、間隙部４に隣接する幾何学図形細線３１’の形状を、間隙部４に隣接しない幾何学図形細線３１の形状と異ならせることは好ましいことである。ここでは、間隙部４に隣接する幾何学図形細線３１’のＹ方向の幅を、間隙部４に隣接しない幾何学図形細線３１のＹ方向の幅よりも小さくすることによって、幾何学図形細線３１の配置ピッチを複数のパターン部３に渡って保持するように間隙部４を形成している。
【００２９】
間隙部４に隣接する幾何学図形細線３１’の幅を小さくせずに、例えばＸ方向に沿う１列又は複数列の幾何学図形細線３１を設けない（省略するともいう）ことによっても、間隙部４を形成することができる。しかし、この場合は、間隙部４の幅を、省略される幾何学図形細線３１の幅に対応する飛び飛びの値にしか設定できない。また、幾何学図形細線３１のＹ方向の配置ピッチよりも狭い幅の間隙部４を形成することが困難である。
【００３０】
これに対して、上述したように、間隙部４に隣接する幾何学図形細線３１’のＹ方向の幅を小さくすることによって間隙部４を形成する場合は、該幾何学図形細線３１’のＹ方向の幅の設定によって、間隙部４の幅を細かく自在に設定できる効果が得られる。また、幾何学図形細線３１のＹ方向の配置ピッチよりも狭い幅の間隙部４を好適に形成できる効果も得られる。間隙部４の幅というのは、間隙部４の全体としての形成方向（図示の例ではＸ方向）に対して直交する方向（図示の例ではＹ方向）の幅が最小になる部位における幅である。
【００３１】
図１（ｂ）に示すように、基材１の裏面に設けられた機能性細線パターン２は、Ｘ方向及びＹ方向の関係が逆であること以外は基本的に基材１の表面に設けられた機能性細線パターン２と同様の構成を備えており、表面についてした説明を援用できる。
【００３２】
基材１の裏面に設けられた機能性細線パターン２もまた、幾何学図形細線３１を配置するピッチを複数のパターン部３に渡って保持するように間隙部４が設けられている。
【００３３】
即ち、複数のパターン部３に渡る方向（図示の例ではＸ方向）において、一つのパターン部３を構成する幾何学図形細線３１の配置ピッチが、他のパターン部３を構成する幾何学図形細線３１の配置ピッチと同じであると共に、これら配置ピッチの位相も同じである。言い換えれば、複数のパターン部３に渡る方向（図示の例ではＸ方向）に向けて、一つのパターン部３を構成する幾何学図形細線３１の配置ピッチで仮想的な目盛りＳＸを延設した際に、他のパターン部３を構成する幾何学図形細線３１の配置ピッチが、目盛りＳＸと一致する。
【００３４】
ここでは、間隙部４に隣接する幾何学図形細線３１’のＸ方向の幅が、間隙部４に隣接しない幾何学図形細線３１のＸ方向の幅よりも小さいことによって、間隙部４に相当する間隙が形成されている。
【００３５】
ここでは、基材１の表面に設けられた機能性細線パターン２と、裏面に設けられた機能性細線パターン２とで、幾何学図形細線３１のＸ方向の配置ピッチが同じであり、且つ幾何学図形細線３１のＹ方向の配置ピッチも同じである。
【００３６】
上述したように、幾何学図形細線３１の配置ピッチを複数のパターン部３に渡って保持するように間隙部４が設けられていることによって、図３に示すように、基材１の表面及び裏面に設けられた機能性細線パターン２、２が重なった状態において、パターンの低視認性を向上できる効果が得られる。
【００３７】
本発明について、参考例との対比で更に詳しく説明する
【００３８】
図１９及び図２０は、参考例の機能性細線パターンを概念的に説明する図である。
【００３９】
ここでは、基材１０１の両面に機能性細線パターン１０２が設けられており、図１９及び図２０は、何れも基材１０１を同じ側（表面側）から平面視した様子を示している。図１９（ａ）は基材１０１の表面に設けられた機能性細線パターン１０２のみを、図１９（ｂ）は基材１０１の裏面に設けられた機能性細線パターン１０２のみを基材１０１を透視して見た様子を、図２０は基材１０１の表面及び裏面に設けられた機能性細線パターン１０２、１０２が重なった状態を、それぞれ示している。
【００４０】
図１９及び図２０に示す参考例の機能性細線パターン１０２では、間隙部１０４が設けられていることによって、幾何学図形細線１３１の配置ピッチが複数のパターン部１０３に渡って保持されなくなっている。即ち、一つのパターン部１０３内だけで見た場合に、幾何学図形細線１３１の配置ピッチは同じであるが、間隙部１０４が介在することによって、他のパターン部１０３を構成する幾何学図形細線１３１の配置ピッチとは位相が異なっており、複数のパターン部１０３に渡って配置ピッチが保持されていない。
【００４１】
言い換えれば、図１９（ａ）に示すように、基材１０１の表面において、複数のパターン部１０３に渡る方向（図示の例ではＹ方向）に向けて、一つのパターン部１０３を構成する幾何学図形細線１３１の配置ピッチで仮想的な目盛りＳＹを延設した際に、他のパターン部１０３を構成する幾何学図形細線１３１の配置ピッチが、目盛りＳＹと一致しない。同様に、図１９（ｂ）に示すように、基材１０１の裏面において、複数のパターン部１０３に渡る方向（図示の例ではＸ方向）に向けて、一つのパターン部１０３を構成する幾何学図形細線１３１の配置ピッチで仮想的な目盛りＳＸを延設した際に、他のパターン部１０３を構成する幾何学図形細線１３１の配置ピッチが、目盛りＳＸと一致しない。
【００４２】
その結果、参考例の機能性細線パターン１０２、１０２は、図２０に示すように、基材１０１の表面及び裏面に設けられた機能性細線パターン１０２、１０２の細線間の間隔が部位ごとに大きく異なっており、各部位を視覚的に認識することが容易であり、パターンの低視認性が得られ難いことがわかる。
【００４３】
これに対して、本発明によれば、図３に示したように、基材１の表面及び裏面に設けられた機能性細線パターン２、２の細線間の間隔が部位によらず均一であり、各部位を視覚的に認識することが困難であり、パターンの低視認性が向上することがわかる。
【００４４】
図３の例において、基材１の表面及び裏面に設けられた機能性細線パターン２、２間で、幾何学図形細線３１のＸ方向の配置ピッチを半ピッチずらして重ね合わせているが、これに限定されるものではない。例えば、基材１の表面及び裏面に設けられた機能性細線パターン２、２間で、幾何学図形細線３１のＹ方向の配置ピッチを半ピッチずらしてもよいし、Ｘ方向及びＹ方向の配置ピッチを半ピッチずらしてもよい。配置ピッチをずらして重ね合わせる場合は、半ピッチに限定されず、任意の所定量ずらすことができる。また、配置ピッチをずらさずに重ね合わせてもよい。
【００４５】
パターン部３は、機能性材料として導電性材料を用いることにより、透明導電膜として好適に用いることができる。透明導電膜が「透明」であるというのは、幾何学図形細線３１が設けられていない部分を介して、パターン部３を光が透過可能であることを意味する。従って、導電性材料自体が透明である必要はなく、透明でない導電性材料であっても好適に用いることができる。
【００４６】
パターン部３からなる透明導電膜は、例えば、タッチパネルセンサーにおける位置検出電極として好適に用いることができる。図１及び図３の例では、基材１の表面に形成されたパターン部３をＹ方向の位置を検出するためのＹ電極として用いることができ、基材１の裏面に形成されたパターン部３をＸ方向の位置を検出するためのＸ電極として用いることができる。これらパターン部３は、基材１の各面に設けられた引出し配線５によって、図示しない制御回路に接続することができる。
【００４７】
以上に説明した態様では、間隙部４に隣接する幾何学図形細線３１’の幅を小さくする方法として、該幾何学図形細線３１’の形状を所定方向、具体的には複数のパターン部３の並設方向に圧縮している。このように幾何学図形細線３１’の形状を圧縮する場合は、１つの幾何学図形細線３１’全体を均等に圧縮してもよいし、１つの幾何学図形細線３１’を部分的に、不均等に圧縮してもよい。上述した第１態様のように、幾何学図形を多角形にする場合は、間隙部４側に配置される辺を選択的に圧縮することが好ましい。例えば、幾何学図形の一つの頂点を間隙部４に向けて配置する場合は、該頂点を挟む２辺を圧縮することが好ましい。
【００４８】
以上の説明では、間隙部４に隣接する幾何学図形細線３１’の幅を小さくする方法として、該幾何学図形細線３１’の形状を所定方向に圧縮する場合について示したが、これに限定されるものではない。例えば、間隙部４に隣接する幾何学図形細線３１’の形状を、間隙部４に隣接しない幾何学図形細線３１の形状よりも幅が小さい全く異なる形状にしてもよい。以下に、図４及び図５を参照して、間隙部４に隣接する幾何学図形細線３１’の形状を、間隙部４に隣接しない幾何学図形細線３１の形状よりも幅が小さい全く異なる形状にする場合の一例について説明する。
【００４９】
図４及び図５は、本発明の機能性細線パターンの第１態様の他の例を概念的に説明する図である。図４及び図５において図１及び図３と同符号は同構成であり、図１及び図３を参照してした説明を援用することができる。
【００５０】
ここでは、基材１の両面に機能性細線パターン２が設けられており、図４及び図５は、何れも基材１を同じ側（表面側）から平面視した様子を示している。図４（ａ）は基材１の表面に設けられた機能性細線パターン２のみを、図４（ｂ）は基材１の裏面に設けられた機能性細線パターン２のみを基材１を透視して見た様子を、図５は基材１の表面及び裏面に設けられた機能性細線パターン２、２が重なった状態を、それぞれ示している。
【００５１】
この例では、間隙部４に隣接しない幾何学図形細線３１の形状は図１及び図３の例と同様に四角形状である。一方、間隙部４に隣接する幾何学図形細線３１’の形状は五角形状である。ここでは、幾何学図形細線３１’に付与されている五角形状は、幾何学図形細線３１に付与されている四角形状を構成する４つの頂点のうち間隙部４側に配向される頂点を切り落とした形状に対応している。その結果、幾何学図形細線３１’の形状は、間隙部４に隣接しない幾何学図形細線３１の形状よりも幅が小さい全く異なる形状になっている。
【００５２】
この例のように、間隙部４に隣接しない幾何学図形細線３１の形状を多角形状にする場合は、間隙部４に隣接する幾何学図形細線３１’に付与する形状として、幾何学図形細線３１に付与されている多角形状を構成する複数の頂点のうち間隙部４側に配向される１又は２以上の頂点を切り落とした形状を付与することができる。これにより、幾何学図形細線３１’の形状を、間隙部４に隣接しない幾何学図形細線３１の形状よりも幅が小さい全く異なる形状にすることができる。
【００５３】
ここでも、図４（ａ）に示すように、基材１の表面の機能性細線パターン２において、間隙部４に隣接する幾何学図形細線３１’のＹ方向の幅が、間隙部４に隣接しない幾何学図形細線３１のＹ方向の幅よりも小さいことによって、間隙部４が形成されている。
【００５４】
同様に、図４（ｂ）に示すように、基材１の裏面の機能性細線パターン２において、間隙部４に隣接する幾何学図形細線３１’のＸ方向の幅が、間隙部４に隣接しない幾何学図形細線３１のＸ方向の幅よりも小さいことによって、間隙部４が形成されている。
【００５５】
このようにして、幾何学図形細線３１の配置ピッチを複数のパターン部３に渡って保持するように間隙部４が設けられていることによって、図５に示すように、基材１の表面及び裏面に設けられた機能性細線パターン２、２が重なった状態において、パターンの低視認性を向上できる効果が得られる。
【００５６】
上述した第１態様では、基材１の表面及び裏面のそれぞれにおいて、機能性細線パターン２を構成する幾何学図形細線３１のＹ方向の配置ピッチを、Ｘ方向の配置ピッチと同じ値に設定しているが、これに限定されるものではない。例えば、以下に図６を参照して説明する第２態様のように、基材１の表面及び裏面のそれぞれにおいて、機能性細線パターン２を構成する幾何学図形細線３１のＹ方向の配置ピッチを、Ｘ方向の配置ピッチと異なる値に設定してもよい。
【００５７】
図６及び図７は、本発明の機能性細線パターンの第２態様を概念的に説明する図である。図６及び図７において図１及び図３と同符号は同構成であり、図１及び図３を参照してした説明を援用することができる。
【００５８】
ここでは、基材１の両面に機能性細線パターン２が設けられており、図６及び図７は、何れも基材１を同じ側（表面側）から平面視した様子を示している。図６（ａ）は基材１の表面に設けられた機能性細線パターン２のみを、図６（ｂ）は基材１の裏面に設けられた機能性細線パターン２のみを基材１を透視して見た様子を、図７は基材１の表面及び裏面に設けられた機能性細線パターン２、２が重なった状態を、それぞれ示している。
【００５９】
本態様では、機能性細線パターン２を構成する幾何学図形細線３１の形状として菱形を用いている。基材１の表面及び裏面のそれぞれにおいて、菱形からなる幾何学図形細線３１のＹ方向の幅は、Ｘ方向の幅よりも大きく設けられており、Ｙ方向の配置ピッチは、Ｘ方向の配置ピッチよりも大きく設定されている。このように、Ｙ方向の配置ピッチをＸ方向の配置ピッチと異ならせる場合は、幾何学図形細線３１のＹ方向の幅をＸ方向の幅と異ならせることが好ましい。
【００６０】
ここでも、図６（ａ）に示すように、基材１の表面の機能性細線パターン２において、間隙部４に隣接する幾何学図形細線３１’のＹ方向の幅が、間隙部４に隣接しない幾何学図形細線３１のＹ方向の幅よりも小さいことによって、間隙部４が形成されている。
【００６１】
同様に、図６（ｂ）に示すように、基材１の裏面の機能性細線パターン２において、間隙部４に隣接する幾何学図形細線３１’のＸ方向の幅が、間隙部４に隣接しない幾何学図形細線３１のＸ方向の幅よりも小さいことによって、間隙部４が形成されている。
【００６２】
このようにして、幾何学図形細線３１の配置ピッチを複数のパターン部３に渡って保持するように間隙部４が設けられていることによって、図７に示すように、基材１の表面及び裏面に設けられた機能性細線パターン２、２が重なった状態において、パターンの低視認性を向上できる効果が得られる。
【００６３】
上述した第１態様及び第２態様では、幾何学図形細線３１が四角形である場合について主に示したが、これに限定されるものではない。幾何学図形細線３１は、四角形以外の多角形、例えば三角形、六角形、八角形等であってもよい。以下に、図８及び図９を参照して、第３態様として、幾何学図形細線３１が六角形である場合の例について説明する。
【００６４】
図８及び図９は、本発明の機能性細線パターンの第３態様を概念的に説明する図である。図８及び図９において図１及び図３と同符号は同構成であり、図１及び図３を参照してした説明を援用することができる。
【００６５】
ここでは、基材１の両面に機能性細線パターン２が設けられており、図８及び図９は、何れも基材１を同じ側（表面側）から平面視した様子を示している。図８（ａ）は基材１の表面に設けられた機能性細線パターン２のみを、図８（ｂ）は基材１の裏面に設けられた機能性細線パターン２のみを基材１を透視して見た様子を、図９は基材１の表面及び裏面に設けられた機能性細線パターン２、２が重なった状態を、それぞれ示している。
【００６６】
本態様では、機能性細線パターン２を構成する幾何学図形細線３１の形状として六角形を用いている。ここでは、隣り合う幾何学図形細線３１同士は、六角形の頂点を挟む両辺同士を交差させて２点の交点で接続されている。
【００６７】
図８（ａ）に示すように、基材１の表面の機能性細線パターン２において、Ｙ方向の幾何学図形細線３１の列は、Ｘ方向に隣り合う列に対して、Ｙ方向の配置ピッチが半ピッチずれている。これにより、幾何学図形細線３１は千鳥状に配置されている。
【００６８】
図８（ｂ）に示すように、基材１の裏面の機能性細線パターン２においても、Ｙ方向の幾何学図形細線３１の列は、Ｘ方向に隣り合う列に対して、Ｙ方向の配置ピッチが半ピッチずれている。これにより、幾何学図形細線３１は千鳥状に配置されている。
【００６９】
ここでも、図８（ａ）に示すように、基材１の表面の機能性細線パターン２において、間隙部４に隣接する幾何学図形細線３１’のＹ方向の幅が、間隙部４に隣接しない幾何学図形細線３１のＹ方向の幅よりも小さいことによって、間隙部４に相当する間隙が形成されている。
【００７０】
同様に、図８（ｂ）に示すように、基材１の裏面の機能性細線パターン２において、間隙部４に隣接する幾何学図形細線３１’のＸ方向の幅が、間隙部４に隣接しない幾何学図形細線３１のＸ方向の幅よりも小さいことによって、間隙部４に相当する間隙が形成されている。
【００７１】
このようにして、幾何学図形細線３１の配置ピッチを複数のパターン部３に渡って保持するように間隙部４が設けられていることによって、図９に示すように、基材１の表面及び裏面に設けられた機能性細線パターン２、２が重なった状態において、パターンの低視認性を向上できる効果が得られる。
【００７２】
上述した第１態様〜第３態様では、幾何学図形細線３１が多角形である場合について主に示したが、これに限定されるものではない。幾何学図形細線３１は、例えば円形や楕円形などのように曲線要素を含むものであってもよい。以下に、図１０及び図１１を参照して、第４態様として、幾何学図形細線３１が円形である場合の例について説明する。
【００７３】
図１０及び図１１は、本発明の機能性細線パターンの第４態様を概念的に説明する図である。図１０及び図１１において図１及び図３と同符号は同構成であり、図１及び図３を参照してした説明を援用することができる。
【００７４】
ここでは、基材１の両面に機能性細線パターン２が設けられており、図１０及び図１１は、何れも基材１を同じ側（表面側）から平面視した様子を示している。図１０（ａ）は基材１の表面に設けられた機能性細線パターン２のみを、図１０（ｂ）は基材１の裏面に設けられた機能性細線パターン２のみを基材１を透視して見た様子を、図１１は基材１の表面及び裏面に設けられた機能性細線パターン２、２が重なった状態を、それぞれ示している。
【００７５】
本態様では、機能性細線パターン２を構成する幾何学図形細線３１の形状として円形を用いている。ここでは、隣り合う幾何学図形細線３１同士は、円形の円周同士を交差させて２点の交点で接続されている。
【００７６】
ここでも、図１０（ａ）に示すように、基材１の表面の機能性細線パターン２において、間隙部４に隣接する幾何学図形細線３１’のＹ方向の幅が、間隙部４に隣接しない幾何学図形細線３１のＹ方向の幅よりも小さいことによって、間隙部４に相当する間隙が形成されている。
【００７７】
同様に、図１０（ｂ）に示すように、基材１の裏面の機能性細線パターン２において、間隙部４に隣接する幾何学図形細線３１’のＸ方向の幅が、間隙部４に隣接しない幾何学図形細線３１のＸ方向の幅よりも小さいことによって、間隙部４に相当する間隙が形成されている。
【００７８】
このようにして、幾何学図形細線３１の配置ピッチを複数のパターン部３に渡って保持するように間隙部４が設けられていることによって、図１１に示すように、基材１の表面及び裏面に設けられた機能性細線パターン２、２が重なった状態において、パターンの低視認性を向上できる効果が得られる。
【００７９】
以上に説明したように基材１の両面に機能性細線パターン２、２を設ける場合は、１枚の基材１の両面に順次又は同時に機能性細線パターン２、２を形成してもよいし、機能性細線パターン２が形成された第１基材と、機能性細線パターン２が形成された第２基材とを張り合わせてもよい。後者の場合、基材１は、第１基材と第２基材の積層体により構成され得る。
【００８０】
以上の説明では、基材の両面に機能性細線パターンを設ける場合について主に示したが、これに限定されるものではない。基材の何れか一方の面に機能性細線パターンを設けることも好ましいことである。基材の何れか一方の面に機能性細線パターンを設ける場合においても、低視認性を向上できる効果が得られる。
【００８１】
即ち、本発明の機能性細線パターンは、幾何学図形細線の配置ピッチを複数のパターン部に渡って保持するように間隙部が設けられていることによって、例えば、該機能性細線パターンをデバイスに組み込んだ際に、機能性細線パターンと、デバイスの素子アレイ（例えば画素アレイ）との間でモアレが発生することを防止することができ、低視認性を向上できる。この効果は、基材の両面に機能性細線パターンを設ける場合だけでなく、何れか一方の面に機能性細線パターンを設ける場合においても好適に発揮される。
【００８２】
上述した機能性細線パターンとデバイスの素子アレイとの間のモアレを更に防止する観点では、幾何学図形細線３１が、Ｘ方向に沿う直線成分及びＹ方向に沿う直線成分を含まないことが好ましい。
【００８３】
例えば、上述した第３態様では、幾何学図形細線３１を構成する多角形（ここでは六角形）の辺の一部を、Ｙ方向に沿うように配置している。即ち、幾何学図形細線３１が、Ｙ方向に沿う直線成分を含んでいる。
【００８４】
これに対して、上述した第１態様、第２態様及び第４態様では、幾何学図形細線３１が、Ｘ方向に沿う直線成分及びＹ方向に沿う直線成分を含まない。そのため、第３態様と比較して、機能性細線パターンとデバイスの素子アレイとの間のモアレを更に防止する効果が得られる。
【００８５】
次に、機能性細線パターンに付与される好ましい寸法の例について説明する。
【００８６】
幾何学図形細線３１の幅は、Ｘ方向及びＹ方向のそれぞれにおいて、０．１ｍｍ〜５ｍｍの範囲であることが好ましく、０．５ｍｍ〜３ｍｍの範囲であることが更に好ましい（実施予定の範囲１．４ｍｍを参考に記載した。）。なお、上述したように間隙部４に隣接する幾何学図形細線３１’の幅を小さくする場合は、上記の好ましい範囲よりも小さい幅を付与することも好ましい。
【００８７】
隣り合うパターン部３間に設けられる間隙部４の幅は、５μｍ〜３００μｍの範囲であることが好ましく、２０μｍ〜１５０μｍの範囲であることが更に好ましい（実施予定の範囲７０μｍを参考に記載した。）。
【００８８】
間隙部４がＸ方向に延設される場合、該間隙部４の幅（Ｙ方向の幅）は、幾何学図形細線３１のＹ方向の幅よりも小さいことが好ましく、幾何学図形細線３１のＹ方向の幅の半分以下であることが更に好ましい。また、間隙部４がＹ方向に延設される場合、該間隙部４の幅（Ｘ方向の幅）は、幾何学図形細線３１のＸ方向の幅よりも小さいことが好ましく、幾何学図形細線３１のＸ方向の幅の半分以下であることが更に好ましい。ここでいう幾何学図形細線３１の幅は、間隙部４に隣接しない幾何学図形細線３１の幅である。
【００８９】
パターン部３がＸ方向に延設される場合、該パターン部３内においてＸ方向に並設される幾何学図形細線３１の数は格別限定されない。一方、該パターン部３内においてＸ方向に並設される幾何学図形細線３１の数は格別限定されないが、２以上であることが好ましく、３以上であることが更に好ましい。また、パターン部３がＹ方向に延設される場合、該パターン部３内においてＹ方向に並設される幾何学図形細線３１の数は格別限定されない。一方、該パターン部３内においてＹ方向に並設される幾何学図形細線３１の数は格別限定されないが、２以上であることが好ましく、３以上であることが更に好ましい。
【００９０】
以上の説明では、間隙部４を挟む両側のパターン部３、３のそれぞれにおいて、該間隙部４に隣接する幾何学図形細線３１’、３１’の幅を小さくする場合について示したが、これに限定されない。例えば、間隙部４を挟む両側のパターン部３、３のうち一方のパターン部３において、該間隙部４に隣接する幾何学図形細線３１’の幅を小さくするようにしてもよい。このとき、他方のパターン部３において、該間隙部４に隣接する幾何学図形細線３１’の幅は、該間隙部４に隣接しない幾何学図形細線３１の幅と同じにすることができる。あるいは、間隙部４を挟む両側のパターン部３、３において、該間隙部４に隣接する幾何学図形細線３１’、３１’の幅を互いに異なる値で小さくするようにしてもよい。
【００９１】
機能性細線パターンが設けられる基材は格別限定されないが、ガラス、プラスチック（ポリエチレンテレフタレート、ポリブチレンテレフタレート、ポリエチレン、ポリプロピレン、アクリル、ポリエステル、ポリアミド等）、金属（銅、ニッケル、アルミ、鉄等や、あるいは合金）、セラミックなどを挙げることができ、これらは単独で用いてもよいし、貼り合せた状態で用いてもよい。中でも、プラスチックが好ましく、ポリエチレンテレフタレートや、ポリエチレン、ポリプロピレンのようなポリオレフィンなどが好適である。本発明の効果を顕著に発揮する観点で、基材として透明基材を用いることは特に好ましいことである。
【００９２】
機能性細線パターンの幾何学図形細線を構成する機能性材料は、基材に特定の機能を付与するための材料であれば格別限定されない。特定の機能を付与するとは、例えば、導電性材料を用いて基材に導電性を付与することや、絶縁性材料を用いて基材に絶縁性を付与することをいう。機能性材料は、該機能性材料が付与される基材表面を構成する材料とは異なる材料であることが好ましい。機能性材料として、例えば導電性材料、絶縁性材料、半導体材料、光学フィルター材料、誘電体材料等を好ましく例示できる。特に機能性材料は導電性材料または導電性材料前駆体であることが好ましい。導電性材料前駆体は、適宜処理を施すことによって導電性材料に変化させることができるものを指す。
【００９３】
導電性材料としては、例えば、導電性微粒子、導電性ポリマー等を好ましく例示できる。
【００９４】
導電性微粒子としては格別限定されないが、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等の微粒子を好ましく例示でき、中でも、Ａｕ、Ａｇ、Ｃｕのような金属微粒子を用いると、電気抵抗が低く、且つ腐食に強い細線を形成することができるので好ましい。コスト及び安定性の観点から、Ａｇを含む金属微粒子が最も好ましい。これらの金属微粒子の平均粒子径は、好ましくは１〜１００ｎｍの範囲、より好ましくは３〜５０ｎｍの範囲である。平均粒子径は、体積平均粒子径であり、マルバーン社製「ゼータサイザ１０００ＨＳ」により測定することができる。
【００９５】
また、導電性微粒子として、カーボン微粒子を用いることも好ましい。カーボン微粒子としては、グラファイト微粒子、カーボンナノチューブ、フラーレン等を好ましく例示できる。
【００９６】
導電性ポリマーとしては格別限定されないが、π共役系導電性高分子を好ましく挙げることができる。
【００９７】
π共役系導電性高分子としては、例えば、ポリチオフェン類、ポリピロール類、ポリインドール類、ポリカルバゾール類、ポリアニリン類、ポリアセチレン類、ポリフラン類、ポリパラフェニレン類、ポリパラフェニレンビニレン類、ポリパラフェニレンサルファイド類、ポリアズレン類、ポリイソチアナフテン類、ポリチアジル類等の鎖状導電性ポリマーを利用することができる。中でも、高い導電性が得られる点で、ポリチオフェン類やポリアニリン類が好ましい。ポリエチレンジオキシチオフェンであることが最も好ましい。
【００９８】
導電性ポリマーは、より好ましくは、上述したπ共役系導電性高分子とポリアニオンとを含んで成ることである。こうした導電性ポリマーは、π共役系導電性高分子を形成する前駆体モノマーを、適切な酸化剤と酸化触媒と、ポリアニオンの存在下で化学酸化重合することによって容易に製造できる。
【００９９】
導電性ポリマーは市販の材料も好ましく利用できる。例えば、ポリ（３，４−エチレンジオキシチオフェン）とポリスチレンスルホン酸からなる導電性ポリマー（ＰＥＤＯＴ／ＰＳＳと略す）が、Ｈ．Ｃ．Ｓｔａｒｃｋ社から「ＣＬＥＶＩＯＳシリーズ」として、Ａｌｄｒｉｃｈ社から「ＰＥＤＯＴ−ＰＡＳＳ４８３０９５」、「ＰＥＤＯＴ−ＰＡＳＳ５６０５９８」として、Ｎａｇａｓｅ  Ｃｈｅｍｔｅｘ社から「Ｄｅｎａｔｒｏｎシリーズ」として市販されている。また、ポリアニリンが、日産化学社から「ＯＲＭＥＣＯＮシリーズ」として市販されている。
【０１００】
次に、機能性細線パターンを形成するための好ましい方法について、図１２〜図１４を参照して詳しく説明する。ここでは、一例として、上述した第１態様に係る機能性細線パターンを形成する場合について説明する。
【０１０１】
まず、図１２（ａ）に示すように、基材１上に、導電性材料を含む第１ライン状液体６によって、閉じられた幾何学図形として四角形を形成する。ここでは、基材１上に、四角形である第１ライン状液体６を基材の長手方向（図中、上下方向）及び幅方向（図中、左右方向）に所定ピッチで複数並設している。ここでは、便宜上、４つの第１ライン状液体６を図示している。
【０１０２】
ライン状液体６は、ここでは、機能性材料として導電性材料を含む液体によって構成されている。機能性材料を含有させる液体としては、例えば水や有機溶剤等の１種又は２種以上を組み合わせて用いることができる。有機溶剤は、格別限定されないが、例えば、１，２−ヘキサンジオール、２−メチル−２，４−ペンタンジオール、１，３−ブタンジオール、１，４−ブタンジオール、プロピレングリコールなどのアルコール類、ジエチレングリコールモノメチルエーテル、ジエチレングリコールモノエチルエーテル、ジエチレングリコールモノブチルエーテル、トリエチレングリコールモノメチルエーテル、ジプロピレングリコールモノメチルエーテル、ジプロピレングリコールモノエチルエーテルなどのエーテル類等を例示できる。
【０１０３】
基材１上へのライン状液体６の付与は、インクジェット法により行うことができる。具体的には、図示しない液滴吐出装置が備えるインクジェットヘッドを基材に対して相対移動させながら、インクジェットヘッドのノズルから機能性材料を含むインクを吐出し、吐出されたインク滴を基材上で合一させて、ライン状液体６を形成することができる。インクジェットヘッドの液滴吐出方式は格別限定されず、例えば、ピエゾ方式やサーマル方式などを用いることができる。インクジェット法やその他の印刷法等を用いる場合等においては、インク吐出性や塗布性等を考慮して、ライン状液体を形成するための液体中に界面活性剤など種々の添加剤を含んでもよい。
【０１０４】
基材１上に付与された第１ライン状液体６は、液体が付与されていない領域６０を内部に包含することにより、縁として、互いに独立した内側縁６１と外側縁６２とを有する。
【０１０５】
次いで、第１ライン状液体６を乾燥させる際にコーヒーステイン現象を生起させて、第１ライン状液体６の内部流動によって、導電性材料をライン状液体６の内側縁６１及び外側縁６２に沿って選択的に堆積させる。
【０１０６】
これにより、図１２（ｂ）に示すように、内側細線３０と外側細線３１からなる第１細線ユニット７が形成される。第１細線ユニット７を構成する細線３０、３１は、四角形状に形成されている。ここで、外側細線３１は、後に機能性細線パターンにおける幾何学図形細線３１を構成するものであるため、同符号を付している。
【０１０７】
次いで、図１３（ａ）に示すように、基材１上に、導電性材料を含む第２ライン状液体６によって、閉じられた幾何学図形として四角形を形成する。ここでは、基材１上に、四角形である第２ライン状液体６を基材の長手方向及び幅方向に所定ピッチで複数並設している。ここでは、便宜上、５つの第２ライン状液体６を図示している。
【０１０８】
基材１上に付与された第２ライン状液体６は、液体が付与されていない領域６０を内部に包含することにより、縁として、互いに独立した内側縁６１と外側縁６２とを有する。
【０１０９】
本態様では、第２ライン状液体６を、４つの第１細線ユニット７の間に挟まれる位置に形成している。第２ライン状液体６からなる四角形の各頂点近傍は、隣接する第１細線ユニット７の外側細線３１と接触するように配置されている。第２ライン状液体６からなる四角形の各頂点は、隣接する第１細線ユニット７の内側細線３０と外側細線３１の間の領域に配置されている。
【０１１０】
次いで、第２ライン状液体６を乾燥させる際にコーヒーステイン現象を生起させて、第２ライン状液体６の内部流動によって、導電性材料を第２ライン状液体６の内側縁６１及び外側縁６２に沿って選択的に堆積させる。
【０１１１】
これにより、図１３（ｂ）に示すように、内側細線３０と外側細線３１からなる第２細線ユニット７を形成することができる。第２細線ユニット７を構成する細線３０、３１は、四角形状に形成されている。
【０１１２】
本態様では、基材１上に、第１細線ユニット７と第２細線ユニット７を、基材１の長手方向及び幅方向に交互に形成している。第１細線ユニット７の外側細線３１と第２細線ユニット７の外側細線３１とは互いに接続され、第１細線ユニット７の内側細線３０と、第２細線ユニット７の内側細線３０とは互いに接続されないように、各細線ユニット７を形成している。内側細線３０は、他の内側細線３０と接続されていないだけでなく、他の外側細線３１とも接続されていない。
【０１１３】
以上のようにして、基材１上に、外側細線３１によって互いに接続された細線ユニット７からなるパターンが形成される。
【０１１４】
次いで、得られたパターンに通電して電解めっきを施す。このとき、外側細線３１同士が互いに接続されていることにより、複数の外側細線３１からなる通電経路が網目状に形成される。図示しない給電部材から該通電経路を通して通電することで、該通電経路内の外側細線３１に電解めっきが施される。
【０１１５】
一方、内側細線３０は、他の内側細線３０及び外側細線３１と互いに接続されておらず、各々が独立して形成されているため、上述した外側細線３１のような通電経路が形成されない。給電部材と直接接触する内側細線３０が存在する場合は、該内側細線３０に電解めっきが施され得るが、それ以外の内側細線３０には通電されず、電解めっきが施されない。給電部材を内側細線３０に接触させない場合は、何れの内側細線３０にも電解めっきが施されない。
【０１１６】
このようにして、外側細線３１に対して通電経路を通して通電することで、該外側細線３１に対して選択的に電解めっきを施すことができる。ここで、「選択的」というのは、少なくとも、電解めっきが施される外側細線３１の本数が、電解めっきが施される内側細線３０の本数よりも多いことをいう。
【０１１７】
このようにして、図１４（ａ）に示すように、電解めっきが施された外側細線３１の膜厚を、電解めっきが施されていない内側細線３０と比較して増大させることができる。
【０１１８】
次いで、細線ユニット７の内側細線３０を除去することによって、図１４（ｂ）に示すように、除去せず残留させる互いに接続された外側細線（幾何学図形細線）３１によって、機能性細線パターン２を形成することができる。
【０１１９】
上述したように外側細線３１に電解めっきを施して膜厚を増大させておくことにより、外側細線３１は除去されにくくなり、電解めっきが施されていない内側細線３０は比較的容易に除去できる効果が得られる。
【０１２０】
内側細線３０を除去する方法は格別限定されないが、例えば、レーザー光等のようなエネルギー線を照射する方法や、化学的にエッチング処理する方法等を用いることが好ましい。
【０１２１】
また、細線を除去する好ましい方法として、外側細線３１に電解めっきを施す際に、内側細線３０をめっき液によって除去する方法を用いることもできる。この場合、めっき液として、除去対象となる内側細線３０を構成する導電性材料を溶解又は分解可能なものを用いることができる。
【０１２２】
具体例として、まず、導電性材料として銀ナノ粒子を用いて、内側細線３０及び外側細線３１からなる細線ユニット７を形成する。そして、第１電解めっきとして外側細線３１に選択的に銅めっき層を設け、次いで、第２電解めっきとして該銅めっき層上にニッケルめっき層を設ける。このとき、第２電解めっき（電解ニッケルめっき）のめっき液によって、第１電解めっきが施されていない銀からなる内側細線３０を溶解又は分解して除去することができる。このように、外側細線３１に対する電解めっきと、内側細線３０の除去を同時に進行させることは好ましいことである。
【０１２３】
また、例えば、電解めっきのための給電を停止した後、除去対象となる内側細線３０を除去するのに十分な時間、好ましくは１分〜３０分の時間、基材１をめっき液に浸漬させておくことも好ましいことである。
【０１２４】
本態様では、ライン状液体６が、液体が付与されていない領域６０を内部に包含することにより、液体の付与量を削減でき、乾燥負荷を低減することができる。これにより、タクトタイムを短縮して生産効率を向上することができる。
【０１２５】
更に、ライン状液体６は、液体が付与されていない領域６０を内部に包含することにより、液体の乾燥に伴う気化熱の総量が比較的小さくなる。そのため、乾燥に伴う基材温度の変化や不均一化が抑制され、上述した内部流動を安定に形成することができる。
【０１２６】
また更に、ライン状液体６は、液体が付与されていない領域６０を内部に包含することにより、コーヒーステイン現象における内部流動によって機能性材料が縁６１、６２に到達するまでの平均移動距離を短縮することができる。
【０１２７】
これらの結果、比較的大きい径でライン状液体６を形成する場合においても、コーヒーステイン現象を安定に発現することができ、内側細線３０及び外側細線３１の形成を安定化することができる。これにより、機能性細線パターン２を構成する外側細線（幾何学図形細線）３１を自由度高く安定に形成できる効果が得られる。そして、内側細線３０を除去することによって、除去せず残留させる外側細線（幾何学図形細線）３１からなる機能性細線パターン２における細線の配置間隔を自由度高く調整することができる。
【０１２８】
以上に説明したとおり、本発明の機能性細線パターン２を形成するための好ましい方法においては、まず、基材１上に、機能性材料を含むライン状液体６によって、閉じられた幾何学図形を形成し、次いで、前記ライン状液体６を乾燥して、前記機能性材料を縁部に沿って堆積させることにより、機能性材料を含む内側細線３０と外側細線３１からなる機能性細線ユニット７を形成する。かかる細線ユニット７を基材上に複数並設することで機能性細線パターン前駆体が形成される。
【０１２９】
次いで、機能性細線パターン前駆体の機能性細線ユニット７を構成する内側細線３０と外側細線３１からなる機能性細線のうち、内側細線３０を除去することにより、除去せず残留させる外側細線３１によって、機能性細線パターン２の幾何学図形細線３１を形成することができる。
【０１３０】
以上の方法を用いれば、間隙部４に隣接する幾何学図形細線３１’の形状を、間隙部４に隣接しない幾何学図形細線３１の形状と異ならせることも容易である。特にインクジェット法を用いれば、所望の形状で幾何学図形細線３１を形成することができ、所望する形状の幾何学図形細線３１を、基材１上の所望する位置に適宜形成することができる。そのため、間隙部４に隣接する幾何学図形細線３１’を精度良く幅狭にすることができ、これにより、間隙部４を信頼性高く形成することができる。
【０１３１】
以上のようにして、例えば図１〜図１１に示したような種々の機能性細線パターン２を好適に形成することができる。
【０１３２】
本発明の他の態様においては、内側細線３０と外側細線３１からなる機能性細線ユニット７を複数並設することで形成されるパターン（即ち上述した機能性細線パターン前駆体）自体を、機能性細線パターンとすることもできる。この場合、外側細線３１によって、互いに複数の交点で接続される幾何学図形細線が構成される。内側細線３０は、外側細線３１からなる幾何学図形細線に対して付加的に設けられる図形要素である。このような付加的図形要素が設けられる場合においても、外側細線３１からなる幾何学図形細線の配置ピッチを複数のパターン部に渡って保持するように間隙部が設けられていることによって、本発明の効果が奏される。以下に、付加的図形要素を含む機能性細線パターンの態様について、図１５〜図１８を参照して詳しく説明する。
【０１３３】
図１５及び図１６は、本発明の機能性細線パターンの第５態様を概念的に説明する図である。
【０１３４】
ここでは、基材１の両面に機能性細線パターン２が設けられており、図１５及び図１６は、何れも基材１を同じ側（表面側）から平面視した様子を示している。図１５（ａ）は基材１の表面に設けられた機能性細線パターン２のみを、図１５（ｂ）は基材１の裏面に設けられた機能性細線パターン２のみを基材１を透視して見た様子を、図１６は基材１の表面及び裏面に設けられた機能性細線パターン２、２が重なった状態を、それぞれ示している。
【０１３５】
本態様では、機能性細線パターン２は、外側細線からなる幾何学図形細線３１と、内側細線３０からなる付加的図形要素とによって構成されたユニット７を複数並設して構成されている。かかるユニット７は、図１３（ｂ）に示したユニット７に対応しており、各々がコーヒーステイン現象によって形成されたものであって、未だめっき処理が施されていないものである。
【０１３６】
外側細線からなる幾何学図形細線３１は、上述した第１態様〜第４態様と同様に、隣り合う幾何学図形細線３１同士が互いに接続されるように配置されている。幾何学図形細線３１の配置については、上述した説明を援用することができるため、ここでの詳しい説明は省略する。
【０１３７】
付加的図形要素である内側細線３０は、隣り合う内側細線３０同士が互いに接続されていない点で、幾何学図形細線３１とは異なっている。
【０１３８】
このような付加的図形要素が機能性細線パターン２中に設けられる場合においても、外側細線３１からなる幾何学図形細線の配置ピッチを複数のパターン部に渡って保持するように間隙部４が設けられていることによって、図１６に示すように、基材１の表面及び裏面に設けられた機能性細線パターン２、２が重なった状態において、パターンの低視認性を向上できる効果が得られる。
【０１３９】
図示するように、内側細線３０からなる各々の付加的図形要素は、パターンの低視認性の観点から、幾何学図形細線３１と同様に、その配置ピッチが複数のパターン部３に渡って保持されていることが好ましい。
【０１４０】
また、図示するように、間隙部４に隣接する内側細線３０’の形状は、パターンの低視認性の観点から、間隙部４に隣接する幾何学図形細線３１’と同様に、間隙部４に隣接しない内側細線３０の形状とは異なっていることが好ましい。この例では、幾何学図形細線３１’の形状は、間隙部４に隣接しない幾何学図形細線３１の四角形状よりも幅が小さい五角形状になっている。また、内側細線３０’の形状は、間隙部４に隣接しない内側細線３０の四角形状よりも幅が小さい五角形状になっている。
【０１４１】
パターンの低視認性の観点から、付加的図形要素の形状は、幾何学図形細線３１の形状と近似しているか、あるいは相似の関係にあることが好ましい。形状が近似しているというのは、幾何学図形細線３１がｎ角形であれば、付加的図形要素もｎ角形であることを意味し、幾何学図形細線３１が円形又は楕円形であれば、付加的図形要素も円形又は楕円形であることを意味する。付加的図形要素は、幾何学図形細線３１の内側に配置されることが好ましく、幾何学図形細線３１と同じ向きに配置されることが好ましい。
【０１４２】
図１７及び図１８は、本発明の機能性細線パターンの第６態様を概念的に説明する図である。
【０１４３】
ここでは、基材１の両面に機能性細線パターン２が設けられており、図１７及び図１８は、何れも基材１を同じ側（表面側）から平面視した様子を示している。図１７（ａ）は基材１の表面に設けられた機能性細線パターン２のみを、図１７（ｂ）は基材１の裏面に設けられた機能性細線パターン２のみを基材１を透視して見た様子を、図１８は基材１の表面及び裏面に設けられた機能性細線パターン２、２が重なった状態を、それぞれ示している。
【０１４４】
本態様では、機能性細線パターン２は、上述した第５態様と同様に、外側細線からなる幾何学図形細線３１と、内側細線からなる付加的図形要素３０とによって構成されたユニット７を複数並設して構成されている。かかるユニット７は、図１４（ａ）に示したユニット７に対応しており、各々がコーヒーステイン現象によって形成されたものであって、更に外側細線（幾何学図形細線）３１に対して電解めっき処理が施されたことによって、外側細線（幾何学図形細線）３１の膜厚が内側細線（付加的図形要素）３０の膜厚よりも大きくなったものである。
【０１４５】
このように、幾何学図形細線３１と付加的図形要素３０とが異なる膜厚を有する場合においても、幾何学図形細線３１の配置ピッチを複数のパターン部に渡って保持するように間隙部４が設けられていることによって、図１８に示すように、基材１の表面及び裏面に設けられた機能性細線パターン２、２が重なった状態において、パターンの低視認性を向上できる効果が得られる。また、幾何学図形細線３１と付加的図形要素３０とが異なる線幅を有する場合においても、同様の効果が得られる。
【０１４６】
上述した第５態様あるいは第６態様における機能性細線パターン２の付加的図形要素３０、３０’を除去することによって、図４及び図５に示したものと同様の機能性細線パターン２を得ることができる。
【０１４７】
機能性細線パターン前駆体の製造方法は、以上に説明した方法に限定されず、種々の方法で形成することができる。幾何学図形細線３１を、コーヒーステイン現象を利用して形成することは特に好ましいことである。付加的図形要素３０もまた、コーヒーステイン現象を利用して形成することが好ましい。
【０１４８】
細線に含まれる機能性材料は、上述したように導電性材料であることが好ましい。導電性材料を用いることで、該細線の集合体により構成されるパターンを透明導電膜（電極膜あるいは透明電極ともいう）として好適に用いることができる。
【０１４９】
透明導電膜付き基材の用途は、格別限定されないが、種々の電子機器が備える種々のデバイスに用いることができる。本発明の効果を顕著に奏する観点で、例えば、液晶、プラズマ、有機エレクトロルミネッセンス、フィールドエミッション等の各種方式のディスプレイ用透明電極として、あるいは、タッチパネルや携帯電話、電子ペーパー、各種太陽電池、各種エレクトロルミネッセンス調光素子等に用いられる透明電極として好適に用いることができる。スマートフォン、タブレット端末等のような電子機器のタッチパネルセンサーとして透明導電膜付き基材を用いることは特に好ましい。タッチパネルセンサーとして用いる場合は、透明基材の両面の透明導電膜（Ｘ電極及びＹ電極）として、上述した細線パターンを用いることが好ましい。
【０１５０】
以上の説明において、一つの態様について説明された構成は、他の態様に適宜適用することができる。
【実施例】
【０１５１】
以下に、本発明の実施例について説明するが、本発明はかかる実施例により限定されない。
【０１５２】
（実施例１）
１．センサーパターン（ｉ）
実施例１のセンサーパターン（ｉ）は、図１５及び図１６に示したものと同様の機能性細線パターン２と、引出し配線５とを基材１の両面に備えている。センサーパターン（ｉ）を構成するパターン部３の寸法及び並設数は、以下の通りである。
【０１５３】
＜センサーパターン（ｉ）の寸法＞
（１）Ｔｏｐセンサー（基材１の表面のパターン）
・センサー幅（パターン部３の幅）：４．９３５ｍｍ
・センサー長さ（パターン部３の長さ）：１６９．２７０５ｍｍ
・センサーピッチ（パターン部３の並設方向の配置ピッチ）：５．０７６ｍｍ
・ｃｈ数（パターン部の並設数）：１０
（２）Ｂｏｔｔｏｍセンサー（基材１の裏面のパターン）
・センサー幅（パターン部３の幅）：４．９３５ｍｍ
・センサー長さ（パターン部３の長さ）：１６９．２７０５ｍｍ
・センサーピッチ（パターン部３の並設方向の配置ピッチ）：５．０７６ｍｍ
・ｃｈ数（パターン部３の並設数）：１０
【０１５４】
かかるセンサーパターン（ｉ）は、下記の方法により作製された。
【０１５５】
２．センサーパターン（ｉ）の作製
（１）インクの調製
インク（機能性材料を含む液体）として、以下の組成を有するパターン部形成用インクと引き出し配線形成用インクをそれぞれ調製した。
【０１５６】
＜パターン部形成用インク＞
・銀ナノ粒子（平均粒子径：２０ｎｍ）：０．２３ｗｔ％
・界面活性剤（ビッグケミー社製「ＢＹＫ３４８」）：０．０５ｗｔ％
・ジエチレングリコールモノブチルエーテル（分散媒）：２０ｗｔ％
・水（分散媒）：残量
【０１５７】
＜引き出し配線形成用インク＞
・銀ナノ粒子（平均粒子径：２０ｎｍ）：１３ｗｔ％
・界面活性剤（ビッグケミー社製「ＢＹＫ３４８」）：０．５ｗｔ％
・１，３−ブタンジオール（分散媒）：２０ｗｔ％
・水（分散媒）：残量
【０１５８】
（２）基材の用意
基材として、パターン部形成用インクの接触角が２０．３°となるように表面処理が施された５０μｍ厚ＰＥＴ基材を用意した。表面処理としては、信光電気計装社製「ＰＳ−１Ｍ」を用いてコロナ放電処理を行った。
【０１５９】
３．パターンの形成
（１）機能性細線パターンの形成
液滴吐出装置（コニカミノルタ社製「ＫＭ１０２４ｉＬＨＥ−３０」（標準液滴容量３０ｐＬ））を基材１に対して相対移動させながら該液滴吐出装置からインクを吐出し、ライン状液体を蒸発させ、乾燥させることにより、該ライン状液体の縁に機能性材料を選択的に堆積させて、２本線間中心で一辺１．０９ｍｍとなる四角形状の内側細線３０と外側細線３１とからなる細線ユニット７を２パスに分けて形成し、機能性細線パターン２を形成した。パターン部３は、上述したＴｏｐセンサー寸法で形成し、間隙部４に隣接する内側細線３０’及び外側細線３１’は、パターン部３間で絶縁が取れるように五角形状に形成した。ここでは、７０℃に加熱されたステージ上に配置した基材１にパターン形成することにより、ライン状液体の乾燥を促進させている。
【０１６０】
（２）引き出し配線の形成
上記機能性細線パターンを形成した後、液滴吐出装置（コニカミノルタ社製「ＫＭ１０２４ｉＳＨＥ」（標準液滴容量６ｐＬ））を基材１に対して相対移動させながら該液滴吐出装置からインクを吐出し、ライン状液体を蒸発させ、乾燥させることにより、Ｌ／Ｓ＝６０μｍ／６０μｍの複数の引き出し配線５を形成した。ここでは、各々の引き出し配線５が上記パターン部３に接続されるように、位置の位置合わせを行った上で引き出し配線５を形成している。また、７０℃に加熱されたステージ上に配置した基材１にパターン形成することにより、ライン状液体の乾燥を促進させている。
【０１６１】
（３）裏面へのパターンの形成
上記のようにして、基材１の表面に機能性細線パターン２及び引き出し配線５を形成した後、基材１の裏面に同様に機能性細線パターン２及び引き出し配線５を上述したＢｏｔｔｏｍセンサー寸法で形成した。ここでは、基材１の表面のパターン形成の後、裏面のパターン形成を行う前に、画像変更（Ｂｏｔｔｏｍパターン）と、表裏パターン形成位置の位置合わせを行っている。
【０１６２】
（４）焼成
１２０℃で１０分間、オーブンで基材１を加熱することによって、上記により形成されたパターンに加熱焼成処理を施した。
【０１６３】
（５）物性値
以上により得られたセンサーパターン（ｉ）の物性値は下記の通りであった。
・外側細線（幾何学図形細線）３１の線幅：５．４５μｍ
・内側細線（付加的図形要素）３０の線幅：５．４５μｍ
・間隙部４の寸法：６３．４μｍ
・機能性細線パターン２の透過率：８７．３７％
・パターン部３の端子間抵抗値：６６７ｋΩ
【０１６４】
ここで、線幅は、光学顕微鏡観察により任意の１０点について測定された線幅の平均値である。間隙部４の寸法は、光学顕微鏡観察により任意の１０点の間隙部４について測定された寸法の平均値である。透過率は、ヘイズメーター（日本電色工業社製「ＮＤＨ７０００」）を用いて、ＪＩＳ Ｋ７１３６に準じ、機能性細線パターン２の全光線透過率として測定された値である。端子間抵抗値は、三和電気計器株式会社製「ＣＤ７７０」を用いてパターン部３の１０端子について一端から他端までの電気抵抗（Ω）を測定した値の平均値である。
【０１６５】
（実施例２）
１．センサーパターン（ｉｉ）
実施例２のセンサーパターン（ｉｉ）は、図１７及び図１８に示したものと同様の機能性細線パターン２と、引出し配線５とを基材１の両面に備えている。センサーパターン（ｉｉ）を構成するパターン部３の寸法及び並設数は、実施例１のセンサーパターン（ｉ）と同様である。
【０１６６】
かかるセンサーパターン（ｉｉ）は、下記の方法により作製された。
【０１６７】
２．センサーパターン（ｉｉ）の作製
（１）銅電解めっき
実施例１のセンサーパターン（ｉ）に下記めっき条件で、外側細線３１に対して選択的に銅電解めっきを施した。その結果、外側細線３１の線幅及び膜厚は、内側細線の線幅及び膜厚よりも大きくなった。
【０１６８】
＜めっき条件＞
実施例１のセンサーパターン（ｉ）が形成された基材１に対して、引き出し配線５から給電し、硫酸銅五水和物２０ｇ、１Ｎ塩酸、１．３ｇ、光沢付与剤（メルテックス社製「ＳＴ９０１Ｃ」）５ｇを、イオン交換水で１０００ｍＬとなるように調製してなるめっき浴内で電解めっきを行った。アノードをめっき用銅板と接続し、めっき浴内で基材１と銅板が３０ｍｍ離間するように設置した。０．２Ａの定電流で１２分間、銅電解めっき処理を施した。めっき終了後、基材１を水洗し、乾燥した。
【０１６９】
（２）物性値
以上により得られたセンサーパターン（ｉｉ）の物性値は下記の通りであった。
・外側細線（幾何学図形細線）３１の線幅：５．８４μｍ
・内側細線（付加的図形要素）３０の線幅：５．４５μｍ
・間隙部４の寸法：６３．４μｍ
・機能性細線パターン２の透過率：８７．３６％
・パターン部３の端子間抵抗値：２４０Ω
【０１７０】
（実施例３）
１．センサーパターン（ｉｉｉ）
実施例２のセンサーパターン（ｉｉｉ）は、図４及び図５に示したものと同様の機能性細線パターン２と、引出し配線５とを基材１の両面に備えている。即ち、センサーパターン（ｉｉｉ）は、実施例２のセンサーパターン（ｉｉ）における内側細線３０が除去された状態である。センサーパターン（ｉｉｉ）を構成するパターン部３の寸法及び並設数は、実施例１のセンサーパターン（ｉ）と同様である。
【０１７１】
かかるセンサーパターン（ｉｉｉ）は、下記の方法により作製された。
【０１７２】
２．センサーパターン（ｉｉｉ）の作製
（１）ニッケル電解めっき
実施例２のセンサーパターン（ｉｉ）に下記めっき条件で、ニッケル電解めっきを施した。その結果、外側細線３１に選択的にニッケル電解メッキが施され、一方、内側細線３０は除去された。
【０１７３】
＜めっき条件＞
実施例２のセンサーパターン（ｉｉ）が形成された基材１に対して、引き出し配線５から給電し、硫酸ニッケル２４０ｇ、塩化ニッケル４５ｇ、ホウ酸３０ｇを、イオン交換水で１０００ｍＬとなるように調製してなるめっき浴内で電解めっきを行った。アノードをめっき用ニッケル板と接続し、めっき浴内で基材とニッケル板が３０ｍｍ離間するように設置した。０．２Ａの定電流で３分間、ニッケル電解めっき処理を施した。更に、めっき終了後、めっき浴内で１０分間、基材１を放置した後、水洗し、乾燥した。
【０１７４】
（２）物性値
以上により得られたセンサーパターン（ｉｉｉ）の物性値は下記の通りであった。
・外側細線（幾何学図形細線）３１の線幅：６．４０μｍ
・間隙部４の寸法：６３．４μｍ
・機能性細線パターン２の透過率：８８．５３％
・パターン部３の端子間抵抗値：１２６Ω
【０１７５】
＜低視認性評価＞
以上により得られたセンサーパターン（ｉ）〜（ｉｉｉ）の各々について、下記の評価基準で、低視認性を評価した。
【０１７６】
［評価基準］
低視認性は、サンプルをライトテーブル上で５０ｃｍ離れた位置から目視し、細線が視認できないほど低視認性に優れるとするものであり、具体的には、細線が視認できないものを「Ａ」、細線が若干視認できるが実用上問題ないものを「Ｂ」、細線がはっきりと視認できるものを「Ｃ」と評価した。なお、センサーパターン（ｉ）〜（ｉｉｉ）のうち、「Ｃ」評価に該当するものはなかった。
【０１７７】
評価結果を表１に示す。
【０１７８】
【表１】
2019030965.tif 000003
【符号の説明】
【０１７９】
１：基材
２：機能性細線パターン
３：パターン部
３１：幾何学図形細線
４：間隙部
５：引き出し配線
６：ライン状液体
７：機能性細線ユニット
【図１】
2019030965.tif 000004
【図２】
2019030965.tif 000005
【図３】
2019030965.tif 000006
【図４】
2019030965.tif 000007
【図５】
2019030965.tif 000008
【図６】
2019030965.tif 000009
【図７】
2019030965.tif 000010
【図８】
2019030965.tif 000011
【図９】
2019030965.tif 000012
【図１０】
2019030965.tif 000013
【図１１】
2019030965.tif 000014
【図１２】
2019030965.tif 000015
【図１３】
2019030965.tif 000016
【図１４】
2019030965.tif 000017
【図１５】
2019030965.tif 000018
【図１６】
2019030965.tif 000019
【図１７】
2019030965.tif 000020
【図１８】
2019030965.tif 000021
【図１９】
2019030965.tif 000022
【図２０】
2019030965.tif 000023